(57)【要約】【課題】パソコン等の机上作業に際し、無意識に前傾姿勢をとる作業者に対して、作業者の顎を支えて、その前傾姿勢の矯正を促しながら首、肩等にかかる負担を低減することができ、作業する位置に応じて移動容易なデスクッション、及びそれに利用するデスクッション本体を提供することを目的とする。【解決手段】  支柱軸２１及び顎受け部２２を有する支柱部２０と、支柱軸２１を内側に配置して、クッション７０を保持する保持部３０と、保持部３０を支持する基台部４０を備えたデスクッション本体１において、支柱軸２１は第１の位置決め手段を有し、保持部材によって形成された保持部３０は、第1の位置決め手段と対応する第２の位置決め手段を有し、基台部４０は保持部３０に接続し、前面に向かって軸線Ｍと略垂直に延設して形成されたデスクッション本体１である。【選択図】  図１６
2017200557.tif 000002
【特許請求の範囲】
【請求項１】
支柱軸及び前記支柱軸の上端に顎受け部を有する支柱部と、前記支柱軸を内側に配置して、クッションを保持する保持部と、前記保持部を支持する基台部を備えたデスクッション本体において、
前記支柱軸は、前記顎受け部の上下方向の位置を決める第１の位置決め手段を有し、保持部材によって所定形状に形成された前記保持部は、前記第1の位置決め手段と対応する前記支柱軸の軸線上にある第２の位置決め手段を有し、前記基台部が机の天板の上面端部に支持されるように、前記基台部は前記保持部の上下方向における中央付近から中央付近より下方で、前記保持部に接続し、前面に向かって前記支柱軸の軸線と略垂直に延設して形成されたことを特徴とするデスクッション本体。
【請求項２】
前記所定形状は前記支柱軸の軸線について左右方向に略対称の形状であって、前記支柱軸の軸線を跨ぐ少なくても一つの橋架保持部材と、前記橋架保持部材の両端でその橋架保持部材と接続して、少なくても上方に伸長する少なくても一対の伸長保持部材と、を備えて構成され、一対の基台支持部材によって形成された前記基台部は、前記一対の前記伸長保持部材によって形成された前記保持部に、片方の前記基台支持部材が片方の前記伸長保持部材にそれぞれ接続された請求項１に記載のデスクッション本体。
【請求項３】
前記第２の位置決め手段は、前記橋架保持部材上に具設された請求項２に記載のデスクッション本体。
【請求項４】
前記所定形状は前記支柱軸の軸線について左右方向に略対称の形状であって、前記支柱軸の軸線を跨ぐ少なくても一枚の平板状部材を備えて構成され、前記第２の位置決め手段は、前記平板状部材上に具設され、一対の基台支持部材によって形成された前記基台部は、前記平板状部材によって形成された前記保持部に、前記平板状部材の左右の両端で片方の前記基台支持部材がそれぞれ接続された請求項１に記載のデスクッション本体。
【請求項５】
前記支柱軸の軸線上にあって前記第２の位置決め手段より上方で、前記保持部の内側に具設された前記支柱軸をガイドするガイド部を、さらに有する請求項３又は４に記載のデスクッション本体。
【請求項６】
請求項１〜５の何れか１項に記載のデスクッション本体が、さらにその前面に照明を備えたデスクッション本体。
【請求項７】
請求項１〜６の何れか１項に記載のデスクッション本体に、クッションが保持されたデスクッションであって、前記クッションは前記顎受け部の上面の少なくても一部分及び前記基台部の反対側で前記保持部の少なくても一部分に接するデスクッション。
【請求項８】
請求項１〜６の何れか１項に記載のデスクッション本体に、クッションが保持されたデスクッションであって、前記クッションは前記支柱部の少なくても一部分及び前記保持部の少なくても一部分を、その内部に包み込むデスクッション。
【請求項９】
請求項７又は８に記載のデスクッションが、さらにその前面に照明を備えたデスクッション。
【請求項１０】
前記基台部より下方の前記保持部に形成されて、机の天板の縁部を下方から圧接する圧接部を、さらに備えた請求項１〜６の何れか１項に記載のデスクッション本体。
【請求項１１】
前記圧接部は可撓性を有する一対の圧接部材を備えてなり、前記一対の圧接部材の片方が、所定間隔をおいてそれぞれ前記基台部より下方で前記保持部に接続されて、前面に向かって前記支柱軸の軸線と鋭角をなして延設して形成され、前面方向の前記圧接部材の末端部分における前記末端部分の上端と前記基台支持部材の下端との距離が、机の天板の厚みより小さい請求項１０に記載のデスクッション本体。
【請求項１２】
前記基台部より下方の前記保持部に形成されて、机の天板の縁部を下方から圧接する圧接部を、さらに備えた請求項７〜９に記載のデスクッション。
【請求項１３】
前記圧接部は可撓性を有する一対の圧接部材を備えてなり、前記一対の圧接部材の片方が、所定間隔をおいてそれぞれ前記基台部より下方で前記保持部に接続されて、前面に向かって前記支柱軸の軸線と鋭角をなして延設して形成され、前面方向の前記圧接部材の末端部分における前記末端部分の上端と前記基台支持部材の下端との距離が、机の天板の厚みより小さい請求項１２に記載のデスクッション。
【発明の詳細な説明】
【技術分野】
【０００１】
支柱軸及び前記支柱軸の上端に顎受け部を有する支柱部と、前記支柱部を内側に配置して、クッションを保持する保持部と、前記保持部を支持する基台部を備えたデスクッション本体、及びそのデスクッション本体にさらにクッションを備えたデスクッションに関するものである。
【背景技術】
【０００２】
従来、特にパソコンに向かう机上作業のため、作業者がパソコンの画面を見続ける前傾姿勢を継続することが多くなり、そのため頭の重みが首にかかり、首や肩への負担となっていた。そして首の痛みや肩こりを発生させ、場合によっては眼の疲労につながり、作業者にとって机上作業が苦痛となっていた。
特許文献１には、机の天板上に乗せるアジャスターと、アジャスター台座の背面部に設けたクッションを備え、そのクッションに机上作業の作業者が腹部や胸部をサポートできるおんぶラッコの発明が開示されている。特許文献２には、顎受け有する支柱と、支柱を支える土台を持った器具により、頭の重みを支え、首への負担を軽くする頭保持具の発明が開示されている。特許文献３には、基台部に設けられた支柱に、連結したスプリングを介して顎乗せ台を備えた顎乗せ台によって、作業者の首や肩に懸かる疲労を防ぐ補助具の発明が開示されている。
【先行技術文献】
【特許文献】
【０００３】
【特許文献１】特開２０１３−１２３６３５号公報
【特許文献２】特開２０１１−１９８８８号公報
【特許文献３】特開２００４−２５５１４０号公報
【発明の概要】
【発明が解決しようとする課題】
【０００４】
しかしながら、特許文献１のおんぶラッコの発明は、机の天板上に乗せるだけなので、前傾になった胸部等を支えることができずに、胸部等のサポートが不十分であった。特許文献２の頭保持具の発明は、土台を天板上の他作業者の膝に乗せる場合、顎が受けられた支柱がぐらついて頭の支えが不十分であり、膝への負担が発生する場合があった。特許文献３の補助具の発明は、スプリングを備えていても、特許文献１の発明と同様に前傾になった胸部等を支えることができずに、胸部等のサポートが不十分であった。
【０００５】
ビジネス等の現場において発生して扱うべき膨大な情報を、正確にかつ迅速に処理や保存するためにパソコンが極めて有用であるので、パソコンが広く使用されていることは周知である。パソコンは一般的に、机上に置かれて使用されるものであるから、ビジネス等の情報を扱う作業者は、勢い机上に置かれたパソコンに向かって継続して長時間作業することになる。そうなると机に向かう姿勢を長時間取り続けることになるから、パソコン作業に必要な指先以外は動かされることが少なく、重たい頭を支え続ける首やそれにつながる肩は、いわゆる血行不良等によって首の痛みや肩こりを発生させることになる。そして、肩こり等が一因となって眼の疲労等が発生することも少なくない。
そのような身体への負担を抱えたまま作業者に、特にパソコンによる机上作業を強いることは、作業者にとって苦痛であるばかりでなく、作業効率が低下してビジネスの円滑な運営の支障になるという問題があった。
【０００６】
本発明は、上記問題点を解決するためになされたものであり、パソコン等の机上作業に際し、重い頭を有しつつ無意識に前傾姿勢をとる作業者に対して、作業者の顎を支えて、その前傾姿勢の矯正を促しながら首、肩等にかかる負担を低減することができ、作業する位置に応じて移動容易なデスクッション、及びそれに利用するデスクッション本体を提供することにある。
【課題を解決するための手段】
【０００７】
上記目的を達成するために、本発明のデスクッション本体及びデスクッションは次のような構成を有している。
（１）支柱軸及び前記支柱軸の上端に顎受け部を有する支柱部と、前記支柱軸を内側に配置して、クッションを保持する保持部と、前記保持部を支持する基台部を備えたデスクッション本体において、前記支柱軸は、前記顎受け部の上下方向の位置を決める第１の位置決め手段を有し、保持部材によって所定形状に形成された前記保持部は、前記第1の位置決め手段と対応する前記支柱軸の軸線上にある第２の位置決め手段を有し、前記基台部が机の天板の上面端部に支持されるように、前記基台部は前記保持部の上下方向における中央付近から中央付近より下方で、前記保持部に接続し、前面に向かって前記支柱軸の軸線と略垂直に延設して形成されたことを特徴とするデスクッション本体である。
「前記第1の位置決め手段と対応する前記支柱軸の軸線上にある第２の位置決め手段」とは、第1の位置決め手段と第２の位置決め手段とが、対応する位置関係にあって、後出するような様々な態様で、第1の位置決め手段と第２の位置決め手段とが係合したり、係止したり、螺合したり、又はそれらの組み合わせであることを意味する。また、デスクッション本体の保持部は、クッションを内部から保持したり、クッションを支えたりするものである。
【０００８】
(２)前記所定形状は前記支柱軸の軸線について左右方向に略対称の形状であって、前記支柱軸の軸線を跨ぐ少なくても一つの橋架保持部材と、前記橋架保持部材の両端でその橋架保持部材と接続して、少なくても上方に伸長する少なくても一対の伸長保持部材と、を備えて構成され、一対の基台支持部材によって形成された前記基台部は、前記一対の伸長保持部材によって形成された前記保持部に、片方の前記基台支持部材が片方の前記伸長保持部材にそれぞれ接続された(１)に記載のデスクッション本体である。
「前記所定形状は、前記支柱軸の軸線について左右方向に略対称の形状」について説明する。デスクッション本体の保持部は、クッションを内部から保持したり、支えたりするものであるから、その保持部の所定形状は、支柱軸の軸線について左右対称であることが望ましい。所定形状が左右方向について極端にいびつな形であると、クッションを内部から保持したり、支えたりにくくなるからである。換言すれば、所定形状が極端にいびつな形でないような、支柱軸の軸線について左右方向に略対称すなわち概ね対称であれば、クッションを内部から保持したり、支えたりすることについては満たすことができる。またそのように略対称であった方が保持部を形成することは容易になる。
橋架保持部材や伸長保持部材の保持部材及び基台支持部材は、それぞれ平板、中実の角柱・円柱・三角柱、中空の角柱・円柱・三角柱、又はそれらの組み合わせ等から適宜に選択される。また、「接続」とは、接続する部分が溶接によって接続されることの他、ネジによる締結や折り曲げることによる場合を含む意味である。
（３）前記第２の位置決め手段は、前記橋架保持部材上に具設された(２)に記載のデスクッション本体である。
（４）前記所定形状は前記支柱軸の軸線について左右方向に略対称の形状であって、前記支柱軸の軸線を跨ぐ少なくても一枚の平板状部材を備えて構成され、前記第２の位置決め手段は、前記平板状部材上に具設され、一対の基台支持部材によって形成された前記基台部は、前記平板状部材によって形成された前記保持部に、前記平板状部材の左右の両端で片方の前記基台支持部材がそれぞれ接続された(１)に記載のデスクッション本体である。
「前記第２の位置決め手段は、前記平板状部材上に具設され」とは、第２の位置決め手段が、直接に平板状部材上に具設される他、平板状部材上の所定部材を介して平板状部材に具設されることを含む。保持部が（２）においては、複数の保持部材の組み合わせによって形成されるのに対して、（４）においては、一枚の平板状部材を備えて形成される
（５）前記支柱軸の軸線上にあって前記第２の位置決め手段より上方で、前記保持部の内側に具設された前記支柱軸をガイドするガイド部を、さらに有する（３)又は(４)に記載のデスクッション本体である。
【０００９】
（６)(１)〜(５)の何れか一つに記載のデスクッション本体が、さらにその前面に照明を備えたデスクッション本体である。
（７）（１）〜（６）の何れか一つに記載のデスクッション本体に、クッションが保持されたデスクッションであって、前記クッションは前記顎受け部の上面の少なくても一部分及び前記基台部の反対側で前記保持部の少なくても一部分に接するデスクッションである。
（８）（１）〜（６）の何れか一つに記載のデスクッション本体に、クッションが保持されたデスクッションであって、前記クッションは前記支柱部の少なくても一部分及び前記保持部の少なくても一部分を、その内部に包み込むデスクッションである。
（９）（７）又は（８）に記載のデスクッションが、さらにその前面に照明を備えたデスクッションである。
（１０）前記基台部より下方の前記保持部に形成されて、机の天板の縁部を下方から圧接する圧接部を、さらに備えた（１）〜（６）の何れか一つに記載のデスクッション本体である。
【００１０】
（１１）前記圧接部は可撓性を有する一対の圧接部材を備えてなり、前記一対の圧接部材の片方が、所定間隔をおいてそれぞれ前記基台部より下方で前記保持部に接続されて、前面に向かって前記支柱軸の軸線と鋭角をなして延設して形成され、前面方向の前記圧接部材の末端部分における前記末端部分の上端と前記基台支持部材の下端との距離が、机の天板の厚みより小さい（１０）に記載のデスクッション本体である。
（１２）前記基台部より下方の前記保持部に形成されて、机の天板の縁部を下方から圧接する圧接部を、さらに備えた（７）〜（９）に記載のデスクッションである。
（１３）前記圧接部は可撓性を有する一対の圧接部材を備えてなり、前記一対の圧接部材の片方が、所定間隔をおいてそれぞれ前記基台部より下方で前記保持部に接続されて、前面に向かって前記支柱軸の軸線と鋭角をなして延設して形成され、前面方向の前記圧接部材の末端部分における前記末端部分の上端と前記基台支持部材の下端との距離が、机の天板の厚みより小さい（１２）に記載のデスクッションである。
【発明の効果】
【００１１】
本発明の作用・効果を説明する。
（１）支柱軸及び支柱軸の上端に顎受け部を有する支柱部と、支柱軸を内側に配置して、クッションを保持する保持部と、保持部を支持する基台部を備えたデスクッション本体において、支柱軸は、顎受け部の上下方向の位置を決める第１の位置決め手段を有し、保持部材によって所定形状に形成された保持部は、第1の位置決め手段と対応する支柱軸の軸線上にある第２の位置決め手段を有し、基台部が机の天板の上面端部に支持されるように、基台部は保持部の上下方向における中央付近から中央付近より下方で、保持部に接続し、前面に向かって支柱軸の軸線と略垂直に延設して形成されたことを特徴とするデスクッション本体なので、顎受け部に作業者の顎が乗せられ、作業者が前傾姿勢になり、上方部分は作業者の胸部等によって前面に押されると、上方部分は机の縁部における垂直線に対して前面方向に傾くと同時に、下方部分はその垂直線に対して後面方向に傾き、下方部分が作業者の腹部に当たるため、無意識の内に前傾姿勢になっていたことを促されて気づいた作業者は、その前傾姿勢を矯正して首、肩等にかかる負担を低減することができる。そしてそのことによって、特にパソコンによる机上作業を強いられた作業者の苦痛を軽減し、作業効率の低下を防いでビジネスの円滑な運営の支障を除くという効果を奏する。ここで、上方部分とは、デスクッション本体について、机の天面より上方の部分のことであり、下方部分とは、机の天面より下方の部分のことである。
【００１２】
(２)所定形状は支柱軸の軸線について左右方向に略対称の形状であって、支柱軸の軸線を跨ぐ少なくても一つの橋架保持部材と、橋架保持部材の両端でその橋架保持部材と接続して、少なくても上方に伸長する少なくても一対の伸長保持部材と、を備えて構成され、一対の基台支持部材によって形成された基台部は、一対の伸長保持部材によって形成された保持部に、片方の基台支持部材が片方の伸長保持部材にそれぞれ接続された(１)に記載のデスクッション本体なので、支柱軸の軸線について左右方向に略対称となりうることが好ましいクッション内部の空間に対して、クッションを保持することができるように、またクッションを支えて保持しやすいように、いわば骨組みを容易にかつ少ない部材によって構成することができるという効果を奏する。
（３）第２の位置決め手段は、橋架保持部材上に具設された(２)に記載のデスクッション本体なので、橋架保持部材の保持部の上下方向における位置によって、支柱部が保持部に支持される位置を下方に調節することができるため、保持部の重心が下方に調節されて、机の天面に支持されたデスクッション本体の安定性が増すという効果を奏する。
（４）所定形状は支柱軸の軸線について左右方向に略対称の形状であって、支柱軸の軸線を跨ぐ少なくても一枚の平板状部材を備えて構成され、第２の位置決め手段は、平板状部材上に具設され、一対の基台支持部材によって形成された基台部は、平板状部材によって形成された保持部に、平板状部材の左右の両端で片方の基台支持部材がそれぞれ接続された(１)に記載のデスクッション本体なので、保持部の強度を保つために必要な保持部の厚みを薄くすることができ、保持部の製造を一体成形することができうるという効果を奏する。
【００１３】
（５）支柱軸の軸線上にあって第２の位置決め手段より上方で、保持部の内側に具設された支柱軸をガイドするガイド部を、さらに有する（３)又は(４)に記載のデスクッション本体なので、支柱軸は第２の位置決め手段とガイド部の２箇所で保持部に保持されるため、支柱軸は保持部に堅固に支持されて、作業者に無意識の内に前傾姿勢になっていたこと気づかせて、その前傾姿勢を矯正させることができるという（１）の効果をより奏することができるのである。
（６)（１）〜(５)の何れか一つに記載のデスクッション本体が、さらにその前面に照明を備えたデスクッション本体なので、照明が作業者と作業の対象となっているものの間にあるため、照明のための新たな机上の場所や設備は不要であり、照明によって直接照らされた作業の対象物を、作業者が視認できるという効果を奏する。
（７）（１）〜（６）の何れか一つに記載のデスクッション本体に、クッションが保持されたデスクッションであって、クッションは顎受け部の上面の少なくても一部分及び基台部の反対側で保持部の少なくても一部分に接するデスクッションなので、クッションがデスクッション本体の支柱部や保持部と、作業者の顎や胸部との間で緩衝材となり、その支柱部等が直接作業者の胸部等に当たることがなく、クッションに支えられおんぶされている心地よさを作業者に与えることができるため、自らの重たい頭を支えつつ、良くない姿勢である前傾姿勢によって発生する首の痛みや、肩こり等の苦痛を解消でき、作業効率の低下を防止して、ビジネスの円滑な運営に資することができるという効果を奏する。
（８）（１）〜（６）の何れか一つに記載のデスクッション本体に、クッションが保持されたデスクッションであって、クッションは支柱部の少なくても一部分及び保持部の少なくても一部分を、その内部に包み込むデスクッションなので、（７）と同様に緩衝材の働きを担い、またクッションが例えばクマや犬、猫等動物の造形等であれば作業者に愛着を湧かせうるため、作業者にデスクッションの使用を促進させることができるという効果を奏する。
【００１４】
（９）（７）又は（８）に記載のデスクッションが、さらにその前面に照明を備えたデスクッションなので、照明が作業者と作業の対象物の間にあるため、机が置かれている作業環境に応じて、採光の必要が生じたときでも、照明のための新たな机上の場所や照明スタンド等の設備は不要であり、照明によって直接照らされた作業の対象物を、作業者が視認できるという効果を奏する。
（１０）基台部より下方の保持部に形成されて、机の天板の縁部を下方から圧接する圧接部を、さらに備えた（１）〜（６）の何れか一つに記載のデスクッション本体なので、机の天板の縁部の上面すなわち上方からは基台部、下方からは圧接する圧接部によって、その縁部を挟持することができるため、作業者が作業を行う机の位置に応じて、デスクッション本体を容易に移動して支持することができるという効果を奏する。
【００１５】
（１１）圧接部は可撓性を有する一対の圧接部材を備えてなり、一対の圧接部材の片方が、所定間隔をおいてそれぞれ基台部より下方で保持部に接続されて、前面に向かって支柱軸の軸線と鋭角をなして延設して形成され、前面方向の圧接部材の末端部分における末端部分の上端と基台支持部材の下端との距離が、机の天板の厚みより小さい（１０）に記載のデスクッション本体なので、机の天板は基台支持部材と圧接部材の間に着脱可能に圧入されることになるため、作業者が作業を行う机の位置に応じて、デスクッション本体をきわめて容易に移動して支持することができるという効果を奏する。
所定間隔としては、デスクッション本体を机により安定して支持するために、保持部の両端までの幅が好ましい。
（１２）基台部より下方の保持部に形成されて、机の天板の縁部を下方から圧接する圧接部を、さらに備えた（７）〜（９）に記載のデスクッションなので、机の天板の縁部の上面すなわち上方からは基台部、下方からは圧接する圧接部によって、その縁部を挟持することができるため、作業者が作業を行う机の位置に応じて、デスクッションを容易に移動して使用することができるという効果を奏する。
（１３）圧接部は可撓性を有する一対の圧接部材を備えてなり、一対の圧接部材の片方が、所定間隔をおいてそれぞれ基台部より下方で保持部に接続されて、前面に向かって支柱軸の軸線と鋭角をなして延設して形成され、前面方向の圧接部材の末端部分における末端部分の上端と基台支持部材の下端との距離が、机の天板の厚みより小さい（１２）に記載のデスクッションなので、机の天板は基底部と圧接部の間に着脱可能に圧入されることになるため、作業者が作業を行う机の位置に応じて、デスクッションをきわめて容易に移動して使用することができるという効果を奏する。
【図面の簡単な説明】
【００１６】
【図１】本発明の一実施の形態であるデスクッション本体の斜視図である。
【図２】本発明の一実施の形態である別のデスクッション本体の斜視図である。
【図３】別のデスクッション本体が机の天板の縁部に支持されたときの側面図である。
【図４】別のデスクッション本体をＡ方向（前面）から見た図である。
【図５】別のデスクッション本体の変形例で保持部が閉じた逆Ｕ字状を形成した図である。
【図６】別のデスクッション本体の変形例で保持部がヨットの略帆形状を形成した図である。
【図７】別のデスクッション本体の変形例で保持部が一枚の平板状部材を備えて形成した図である。
【図８】別のデスクッション本体の変形例で、第1の位置決め手段が支柱軸内部に設けられたネジの組み合わせ、第２の位置決め手段が留め具であるのものが、机の天板の縁部に支持されたときの側面図である。
【図９】図８の変形例のデスクッション本体をＢ方向（後面）からみた図である。
【図１０】図８、９の第１、２の位置決め手段及び回り止めビスの部分の部分拡大図である。
【図１１】（ａ）図１０のＣ―Ｃ断面図、（ｂ）図１０のＤ―Ｄ断面図である。
【図１２】圧接部が前面に向かって支柱軸の軸線と鋭角をなして延設して形成されたものを備えた別のデスクッション本体が、机の天板の縁部に支持されたときの側面図である。
【図１３】図１２のデスクッション本体をＧ方向（前面）から見た図である。
【図１４】（ａ）図１２、１３の第1の位置決め手段及び第２の位置決め手段の部分拡大図である。（ｂ）（ａ）のＨ―Ｈ断面図である。
【図１５】図２のデスクッション本体が一対の圧接部材を備え、さらにその前面に照明を備えたデスクッション本体の斜視図である。
【図１６】図１のデスクッション本体の顎受け部の上面と保持部にそれぞれクッションが保持されたデスクッションの斜視図である。
【図１７】図２のデスクッション本体の顎受け部と保持部にそれぞれクッションが保持されたデスクッションの斜視図である。
【図１８】図１５のデスクッション本体に、クッションが保持されたデスクションが、机の天板の縁部に支持されたときの側面図である。
【図１９】図１８を前面から見た図である。
【図２０】作業者が図１８、１９のデスクッションを使用して机上作業をしているところの側面図である。
【図２１】作業者が図１のデスクッション本体を、前傾姿勢にならず使用しているときに、そのデスクッション本体に作用する力の説明図である。
【図２２】作業者が図１のデスクッション本体を、前傾姿勢になって使用しているときに、そのデスクッション本体に作用する力の説明図である。
【発明を実施するための形態】
【００１７】
図１に基づいて、本発明の実施の形態であるデスクッション本体１の説明を行う。図１において、デスクッション本体１は、支柱部２０、保持部３０及び基台部４０を備えて構成される。支柱部２０は、支柱軸２１、上端に顎受け部２２、顎受け部２２の上下方向の位置を決める第1の位置決め手段を有し、第1の位置決め手段としては、支柱軸２１に設けられたネジ山２３である。ネジ山２３は顎受け部２２から支柱軸２１の下端の間に設けられている。保持部３０は、保持部材である橋架保持部材３１、一対の伸長保持部材３２によって所定形状に形成されている。そして、その所定形状は、支柱軸２１の軸線Ｍ（以下、軸線Ｍという場合がある）について、左右方向に対称の形状である矢じり形状である。図１から分かるように、橋架保持部材３１は軸線Ｍを跨ぎ、一対の伸長保持部材３２は、片方ずつ橋架保持部材３１の両端でその橋架保持部材３１と接続して、上方に伸長している。上方に伸長するとは、上方に向かって斜め方向に伸長する部分を備える場合も含む意味である。斜め方向が軸線Ｍに向かっているので、一対の伸長保持部材３２は軸線Ｍ上で結合することになる。
第２の位置決め手段であるナット３５は、その結合した部分に具設されている。すなわち第２の位置決め手段であるナット３５は軸線Ｍ上にある。第１の位置決め手段であるネジ山２３は、それと対応する位置にある第２の位置決め手段であるナット３５に螺合している。一対の伸長保持部材３２は橋架保持部材３１と接続した下方では鉛直方向に伸長して、補助橋架保持部材３３の両端に接続している。なお、第１の補助橋架保持部材３３も軸線Ｍを跨いでいる。保持部３０の形成方法については、橋架保持部材３１と伸長保持部材３２がビスによって固定されたり、伸長保持部材３２と第１の補助橋架保持部材３３が溶接や接着剤によって接続されたり、公知の技術が用いられる。そのため、例えば図１において、それらの接続方法から適宜に選択して接続されるので、接続後を模式的にあらわすことによって示している。なお、顎受け部２２のように共通しうるものの番号は共通で示した。以降の図においても同様である。
【００１８】
一対の基台支持部材４１によって形成された基台部４０は、保持部３０の上下方向における中央付近から中央付近より下方で、一対の伸長保持部材３２を含んで形成された保持部３０に、片方の基台支持部材４１が片方の伸長保持部材３２にそれぞれ接続される。基台支持部材４１は、前面に向かって軸線Ｍと略垂直に延設して形成されている。支柱軸２１はネジ山２３を有する観点から円柱や円筒が望ましく、橋架保持部材３１、伸長保持部材３２、第１の補助橋架保持部材３３及び基台支持部材４１は、各々の部材間の接続のさせ易さや、机の天板８０の縁部に支持されたときの安定性等の観点から平板状が好ましい。また各部材の材料は、強度の観点から鉄等の金属や強化プラスチックである。各部材の接続は、鉄等の金属を用いた場合に溶接を、強化プラスチック等を含むプラスチック用いた場合には適切な接着剤を、また当て板等を用いたネジ止め等によって行うことができる。基台支持部材４１の前面方向の端末は、後述する圧接部材５１との組み合わせによって机の天板８０の端部を挟持しやすくするため、やや上向きになっていてもよい。橋架保持部材３１には、基台支持部材４１とは反対側で、後出するクッション７０を載置して保持する３つの支え片３３aが、軸線Ｍと略垂直に延設して接続されている。
支柱軸２１すなわち顎受け部２２は、例えば顎受け部２２を、支柱軸２１について回動させることによって、上下方向に可動することができる。第1の位置決め手段であるネジ山２３と、第２の位置決め手段であるナット３５は螺合しているからである。顎受け部２２の形状としては、様々な形状が可能であるが、顎受け部２２は支柱軸２１の回動に従って回動する場合のあることや、後述するように顎受け部２２はクッション７０に包まれる場合には、包み込まれた状態で回動しやすく、作業者Ｐの顎を受けやすい形状としては、例えば円盤形状が好ましい。
【００１９】
図２、３に基づいて、本発明の実施の形態である別のデスクッション本体１の説明を行う。図２において、デスクッション本体１は、支柱部２０、保持部３０及び基台部４０を備えて構成される。支柱部２０は、支柱軸２１、上端に顎受け部２２、顎受け部２２の上下方向の位置を決める第1の位置決め手段及び位置決めナット２４を有し、第1の位置決め手段としては、支柱軸２１に設けられたネジ山２３である。保持部３０は、保持部材である橋架保持部材３１、一対の伸長保持部材３２、第１の補助橋架保持部材３３及び第２の補助橋架保持部材３４によって所定形状に形成されている。そして、その所定形状は、支柱軸２１の軸線Ｍについて、左右方向に対称の形状である矢じり形状である。図２から分かるように、橋架保持部材３１は軸線Ｍを跨ぎ、一対の伸長保持部材３２は、片方ずつ橋架保持部材３１の両端でその橋架保持部材３１と接続して、上方に伸長している。と共に下方に伸長している。下方に伸長するとは、下方に向かって斜め方向に伸長する部分を備える場合も含む意味である。斜め方向が軸線Ｍと離れる方向なので、一対の伸長保持部材３２は橋架保持部材３１と接続した部分より下方では末広がりとなっている。さらに、第１の補助橋架保持部材３３と接続した下方では鉛直方向に伸長して、第２の補助橋架保持部材３４の両端に接続している。なお、図２において、一対の伸長保持部材３２と第２の補助橋架保持部材３４の接続も公知の技術によって行われる。なお、顎受け部２２のように共通しうるものの番号は共通で示した。以降の図においても同様である。
【００２０】
保持部３０は、第1の位置決め手段と対応する軸線Ｍ上にある第２の位置決め手段であるナット３５と、軸線Ｍ上にあってナット３５より上方で保持部３０の内側に具設された支柱軸２１をガイドするガイド部３６を有している。第２の位置決め手段であるナット３５は、軸線Ｍ上にあって橋架保持部材３１上に具設される。ガイド部３６は、支柱軸２１が上下方向に可動できるような貫通孔３６ａを内部に有している。ガイド部３６は例えば両端をそれぞれ伸長保持部材３２にビスで固定される。
【００２１】
一対の基台支持部材４１によって形成された基台部４０は、保持部３０の上下方向における中央付近から中央付近より下方で、一対の伸長保持部材３２によって形成された保持部３０に、片方の基台支持部材４１が片方の伸長保持部材３２にそれぞれ接続される。基台支持部材４１は、前面に向かって軸線Ｍと略垂直に延設して形成されている。支柱軸２１はネジ山２３を有する観点から円柱や円筒が望ましく、橋架保持部材３１、伸長保持部材３２、第１の補助橋架保持部材３３、第２の補助橋架保持部材３４及び基台支持部材４１は、各々の部材間の接続のさせ易さや、机の天板８０の縁部に支持されたときの安定性等の観点から平板状が好ましい。また各部材の材料は、強度の観点から鉄等の金属や強化プラスチックである。各部材の接続は、鉄等の金属を用いた場合に溶接を、強化プラスチック等を含むプラスチック用いた場合には適切な接着剤を、また当て板等を用いたネジ止め等によって行うことができる。基台支持部材４１の前面方向の端末は、後述する圧接部材５１との組み合わせによって机の天板８０の端部を挟持しやすくするため、やや上向きになっていてもよい。
【００２２】
支柱軸２１すなわち顎受け部２２は、顎受け部２２や下端に設けられた位置決めナット２４を、支柱軸２１について回動させることによって、上下方向に可動することができる。第1の位置決め手段であるネジ山２３と、第２の位置決め手段であるナット３５は螺合しているからである。顎受け部２２の形状としては、様々な形状が可能であるが、顎受け部２２は支柱軸２１の回動に従って回動する場合のあることや、後述するように顎受け部２２はクッション７０に包まれる場合には、包み込まれた状態で回動しやすく、作業者Ｐの顎を受けやすい形状としては、例えば円盤形状が好ましい。
【００２３】
図３、４に基づいてデスクッション本体１（図２）が、机の天板８０の縁部に支持されたときの説明を行う。図４は図３をＡ方向（前面）から見た図である。作業者Ｐは自らの顎を、デスクッション９０Ａの後面側から顎受け部２２に乗せて使用するので（図２０参照）、図４の左右は作業者Ｐからみた左右である。図５〜７でも同様である。基台支持部材４１は、平板状の基台支持部材垂直片４１ａと基台支持部材水平片４１ｂを備えてなり、基台支持部材４１は、基台支持部材垂直片４１ａによって伸長保持部材３２に接続され、基台支持部材水平片４１ｂによって、机の天板８０の縁部に支持されるのである。そして、デスクッション本体１（図２）がより安定して支持されるために、基台支持部材４１は、前面に向かって軸線Ｍと垂直に延設して形成されることが好ましい。支柱軸２１の下方に形成された第１の位置決め手段であるネジ山２３の長さに相当する範囲で、顎受け部２２が上下方向に可動できるため、可動範囲として図３、４に示した。後出する図５〜９、図１２、１３でも同様である。
なお、デスクッション本体１（図２）では支柱軸２１は、保持部３０の後面側にあってもよい。この場合には、ナット３５とガイド部３６も保持部３０の後面側に設ける必要がある。支柱軸２１が後面側にある場合では、例えば基台部４０を重くすれば、デスクッション本体１（図２）は後面側に倒れることなく、机の天板８０の縁部に支持される。
【００２４】
図５、６に基づいてデスクッション本体1（図２）の変形例の説明を行う。図５の変形例のデスクッション本体１Ａは、保持部３０Ａが閉じた逆Ｕ字状を形成して、２つの第1の補助橋架保持部材３３Ａがバツ印を形成したもの（一対の伸長保持部材は３２Ａ、橋架保持部材は３１Ａ、基台支持部材は４１Ａである）、図６の変形例のデスクッション本体１Ｂは、保持部３０Ｂがヨットの略帆形状を形成したものである。図５の保持部３０Ａは軸線Ｍについて、左右方向に対称の形状であるが、図６の保持部３０Ｂは軸線Ｍについて略対称すなわちややいびつに左右方向に対称の形状である。一対の伸長保持部材３２Ｂを備えた保持部３０Ｂのような形状であっても、後出するクッション７０を保持することはできるのである（基台支持部材は４１Ｂである）。
さらに、例えばデスクッション本体１Ｂにつき、保持部３０Ｂの上方部分を長くした場合において、それに伴って橋架保持部材３１Ｂ及び第1の補助橋架部材３３Ｂを上方に移動し、ナット３５を第1の補助橋架保持部材３３Ｂに移動すれば、第1の補助橋架保持部材３３Ｂが橋架保持部材３１Ｂαとなる。この場合では、第１の補助橋架保持部材が橋架保持部材の上方に位置している。橋架保持部材と補助橋架保持部材の上下の位置関係は任意でよいからである。また、補助橋架保持部材がなくても保持部としての機能を持たせることは可能であれば、補助橋架部材が不要であることは当然のことである。
【００２５】
図７に基づいて、デスクッション本体１Ｃの説明を行う。デスクッション本体１Ｃの保持部３０Ｃは、軸線Ｍについて左右方向に対称であって、軸線Ｍを跨ぐ一枚の平板状部材３２Ｃを備えて構成されている。第２の位置決め手段３５は、平板状部材３２Ｃ上に具設される。補助片３９は、位置決めナット２４が回動できるように、位置決めナット２４と平板状部材３２Ｃの間に隙間をとるため、ナット３５を平板状部材３２Ｃからその隙間分離すために設けられたものである。したがって、補助片３９の代わりに、その部分が隆起した平板状部材３２Ｃαを成形すれば、補助片３９は不要である。そのためには、平板状部材３２Ｃは一枚の形状であるので、プラスチックによる成形を利用することができる。またプラスチックで成形すれば、製造コストを下げることが可能となる。基台部４０（図示せず）は、平板状部材３２Ｃの左右の両端で基台支持部材４１が、平板状部材３２Ｃにそれぞれ接続されて形成される。
【００２６】
図８、９に基づいて変形例であるデスクッション本体１Ｄの説明を行う。デスクッション本体１Ｄでは、支柱軸２１Ｄは保持部３０Ｄより後面側にある。図９に記載の左右は、作業者Ｐは保持部３０Ｄより後面側にある支柱軸２１Ｄからデスクッション本体１Ｄを使用するので、図４等に記載の左右とは逆になっている。この場合では、例えば基台支持部材４１を重くすれば、デスクッション本体１Ｄは後面側に倒れることなく、机の天板８０の縁部に支持される。
デスクッション本体１Ｄでは、第1の位置決め手段が、支柱軸２１Ｄの内部に設けられた雌ネジ部分２１ｄと、把持部２５に接続した雄ネジ２５ｄが螺合することによる組み合わせである。一方第２の位置決め手段は、橋架保持部材３１Ｄに具設された軸線Ｍ上にある留め具３５ｄである。把持部２５は留め具３５ｄとビスによって、回動可能に橋架保持部材３１Ｄに支持されている。ガイド部３６Ｄは、ビスによって一対の伸長保持部材３２Ｄの内側で、一対の伸長保持部材３２Ｄが結合する部分に固定されている。ガイド部３６Ｄの少し下方には、支柱軸２１Ｄが連れまわりしないようにするため、回り止めビス３７が伸長保持部材３２Ｄを貫通して回り止め溝２１ｅにとどいている。回り止め溝２１ｅの長手方向の長さは、可動範囲より少し長めになっている。橋架保持部材３１Ｄが保持部３０Ｄの下端にあるので、一対の伸長保持部材３２Ｄは、橋架保持部材３１Ｄの両端で橋架保持部材３１Ｄと接続して、上方に伸長している。
【００２７】
図１０は図８、９の第１、２の位置決め手段及び回り止めビス３７の部分の部分拡大図で、図１０のＣ―Ｃ断面図が図１１（ａ）、Ｄ―Ｄ断面図が図１１（ｂ）である。
図１０、１１に基づいて第１、２の位置決め手段等について説明を追加する。図１０において、支柱軸２１Ｄ内部から延出された雄ネジ２５ｄは把持部２５に固定されている。図１０、図１１（ｂ）に示されるように、雄ネジ２５ｄが下方に延長された挟持部２５ｂは、把持部２５の上端部２５ｅと把持部上端２５ｆの間に挟まれ、ビスによって橋架保持部材３１Ｄに固定された留め具３５ｄの凹部３５ａに回動可能に支持されている。一方、図１１（ａ）に示されるように、回り止めビス３７は、支柱軸２１Ｄに当接しているから、例えば図９１０に示されるように、Ｆ方向に把持部２５を回転させて支柱軸２１Ｄを上方に移動させ、また逆にＥ方向に把持部２５を回転させて支柱軸２１Ｄを下方に移動させても、支柱軸２１Ｄは連れ回りしないのである。
【００２８】
図１２、１３に基づいて、保持部３０Ｅの下端に形成されて机の天板８０の縁部を下方から圧接する圧接部５０を、さらに備えたデスクッション本体１Ｅの説明を行う。図１３は図１２をＧ方向（前面）から見た図である。
デスクッション本体１Ｅでは、第1の位置決め手段は、支柱軸２１Ｅに設けられた６個の位置決め貫通孔２１Ｆで、第２の位置決め手段は橋架保持部材３１Ｅに設けられた位置決め凸部３５Ｇである。ガイド部は、一対の伸長保持部材３２の内側で、一対の伸長保持部材３２が結合する部分に形成されたガイド凸部３６Ｅである。ガイド凸部３６Ｅは、後述する位置決め凸部３５Ｇの形成の仕方に倣って、支柱軸２１Ｅがスライドできるように隆起させた隙間を有している。支柱軸２１Ｅは上端で前面方向に略垂直に曲げられ、その上に顎受け部２２Ｅが接続されている。
【００２９】
圧接部５０は、可撓性を有する一対の圧接部材５１を備え、一対の圧接部材５１の片方が、所定間隔をおいてそれぞれ基台部４０すなわち基台支持部材４１より下方で、保持部３０Ｅに接続されている。基台部４０より下方の保持部３０Ｅとは、机の天板８０の下面から下端までの間にある伸長保持部材３２の部分又は第１の補助橋架保持部材３３Ｅが該当する。そして所定間隔について、第１の補助架保持部材３３Ｅならば、その間隔の最大は、その両端までの間隔であり、伸長保持部材３２ならば、伸長保持部材３２間の間隔をいう。一方保持部３０が一枚の平板状部材３２Ｃならば、その所定間隔について、最大は平板状部材３２Ｃにおける両端までの幅を言う。図１３では、圧接部材５１は一対の伸長保持部材３２の下端に接続されている。例えば圧接部材５１及び一対の伸長保持部材３２を、それぞれ鉄製の平板で形成して溶接で接続すれば、圧接部材５１に可撓性を持たせることができる。圧接部としてはクランプを含めあらゆる公知技術を使用することができる。
圧接部材５１の前面方向の末端部分５２において、末端部分５２と基台支持部材４１との距離Ｌ１は、机の天板８０の厚みＬ２より小さい。基台支持部材４１と圧接部材５１の間に机の天板８０が挿入されると、圧接部材５１は可撓性を有するため、距離Ｌ１はＬ２に拡大して、それに伴って距離Ｌ２がＬ１に戻ろうとする復元力によって、圧接部５０すなわちデスクッション本体１Ｅは机の天板８０の縁部に支持されることになる。末端部分５２の先端は机の天板８０とは逆方向に曲がっているので、机の天板８０は基台支持部材４１と圧接部材５１の間に挿入されやすくなっている。したがって、この場合には支柱軸２１Ｅが保持部の後面側にあっても、基台支持部材を重くする等の必要は必ずしもない。
【００３０】
図１４（ａ）は、図１２、１３の位置決め貫通孔２１Ｆと位置決め凸部３５Ｇが組み合わされたときの部分拡大図であり、（ｂ）は（ａ）のＨ―Ｈ断面図である。
図１４（ａ）に示すように、橋架保持部材３１Ｅの短手方向を３等分する位置で、支柱軸２１Ｅを跨いで長手方向にスリットを２本入れ、２本のスリットの間の部分に、第１の位置決め手段である位置決め貫通孔２１Ｆに対応した凸部貫通孔３５ｇをあけておく。その後、図１４（ｂ）のように、２本のスリットの間の部分を隆起させて隙間を開け、その隙間を支柱軸２１Ｅがスライドできるようにする。支柱軸２１Ｅの位置決めは、位置決め貫通孔２１Ｆと凸部貫通孔３５ｇを連通させた後、位置決めビス３８の軸をその両方の孔に挿入することによって行うことができる。
さらに、位置決めビス３８の頭と橋架保持部材３１Ｅの間に、位置決めビス３８の頭に係止したスプリング３８ｇ（図示せず）を設けることができる。位置決めビス３８の頭を橋架保持部材３１Ｅから離れる方向に引っ張った後、支柱軸２１Ｅを適宜な位置にスライドさせ、位置決め貫通孔２１Ｆと凸部貫通孔３５ｇを連通させて、位置決めビス３８の頭をフリーにすると、スプリング３８ｇの弾性力によって、位置決めビス３８の軸がその両方の孔に連通することになる。この場合、位置決めビス３８は位置決め凸部３５Ｇに付属することになるから、第２の位置決め手段として扱うべきである。一方、スプリング３８ｇを有しない場合には、位置決めビス３８は第１又は第２の位置決め手段の補助手段として機能することになる。
位置決め貫通孔２１Ｆの位置に従って、作業者Ｐの顎の位置に合わせて支柱軸２１Ｅの上下方向における位置を選択することができる。図１３のデスクッション本体１Ｅならば、６つの位置決め貫通孔２１Ｆを有するので、６段階の位置の選択を行うことができる。
【００３１】
図１５に基づいて、その前面に電源コードレスの照明６０を備えたデスクッション本体１Ｆの説明を行う。照明６０は照明本体６３、照明本体６３を受ける照明台座６１、照明台座６１を２本のビスによって、一対の伸長保持部材３２に接続する照明支持部６２を備えて構成されている。照明支持部６２は支柱軸２１の外径を収めることができるＵ字切込みを有しているので、容易に伸長部材３２に取り付けたり、外したりすることができる。作業者Ｐが机上作業を行う環境で採光が不十分である場合には、照明６０を備えたデスクッション本体１Ｆを使用することが好ましい。照明は公知の照明から適時選択される。アルカリ電池等を内蔵した電源コードレスの照明ならば、電源をコンセントから取る必要がないので、電源コードに煩わされることなく、好みの場所でデスクッション本体１Ｆを使用することができる。一方電池を節約したいのであれば、電源コードのある照明を使用すればよい。照明台座６１の下方への曲げ方によって、照明面６３ａから放射される光の角度を調整するこができる。なお、デスクッション本体１Ｆを使用するとは、実質的にはデスクッション本体１Ｆを利用したデスクッションを使用することを意味する。
【００３２】
図１６に基づいて、デスクッション本体１（図１）に、顎受けクッション７６を備えたクッション７０が保持されたデスクッション９０の説明を行う。クッション７０及び顎受けクッション７６は、ウレタンフォーム、ゴム材等の柔軟性素材を用いることができる。顎受けクッション７６は、顎受け部２２の上面に接して保持されている。クッション７０は、基台部４０の反対側で支え片３３aによって保持部３０に接して保持されている。支え片３３a上に載置されて保持されたクッション７０は、デスクッション本体１（図１）の前面側で、例えば上下方向に異なる位置でクッション７０に接続された二対の面ファスナー７７と７７Ａを、一対ごとにそれぞれ係合させることによって保持される。その他クッション７０をひもで縛ったり、大きな輪ゴムをかけたり等して保持することができる。作業者Ｐの胸部はクッション７０により、作業者Ｐの顎は顎受けクッション７６により、それらの緩衝材としての作用を受けてデスクッション９０を快適に使用することができる。また、デスクッション９０は上方に向かって矢じり形状であるので、作業者Ｐが後面側から前面側に腕を伸ばして作業をする場合に作業性が優れる。
【００３３】
図１７に基づいて、デスクッション本体１（図２）に、顎受けクッション７６を備えたクッション７０が保持されたデスクッション９０の説明を行う。クッション７０及び顎受けクッション７６は、ウレタンフォーム、ゴム材等の柔軟性素材を用いることができる。顎受けクッション７６は、顎受け部２２を包み込んでいる。なお、顎受けクッション７６が顎受け部２２と作業者Ｐの顎との緩衝材となるには、顎受けクッション７６が顎受け部２２の上面に保持されればよい。クッション７０は、顎受け部２２より下方の支柱軸２1及び保持部３０のほとんどをその内部に包み込んでいる。クッション７０は、上記のようにデスクッション本体１（図２）を包み込んだ後、デスクッション本体１（図２）の前面側で、例えば上下方向に異なる位置でクッション７０に接続された二対の面ファスナー７７と７７Ａを、一対ごとにそれぞれ係合させることによって保持される。その他クッション７０をひもで縛ったり、大きな輪ゴムをかけたり等して保持することができる。作業者Ｐの胸部はクッション７０により、作業者Ｐの顎は顎受けクッション７６により、それらの緩衝材としての作用を受けてデスクッション９０を快適に使用することができる。また、デスクッション９０は上方に向かって矢じり形状であるので、作業者Ｐが後面側から前面側に腕を伸ばして作業をする場合に作業性が優れる。
【００３４】
図１８、１９に基づいて、机の天板８０の縁部に支持された、照明本体６３を有するデスクッション９０Ａの説明を行う。図１９は、デスクッション９０Ａを前面から見た図である。クッション７０Ａはクマをモデルとしたものである。その他クッション７０Ａの造形は、猫や犬等の愛玩動物、一概には愛玩動物とは言えないが愛玩動物に似た愛着を起こしうる前記のクマ等をモデルとすることができる。クマのクッション７０Ａは、クマの頭部７１、クマの首部７２、クマの手部７３、クマの足部７４、クマの背中上部７５、及び照明本体６３を有して、デスクッション本体１Ｆを、その内部に包み込むことができるような空間を備えて、構成されている。
デスクッション９０Ａは、デスクッション本体１Ｆの顎受け部２２、支柱軸２１及び保持部３０を、その内部に包み込んでいる。顎受け部２２と支柱軸２１の上方の部分は、クマの頭部７１及びクマの首部７２に、支柱軸２１の下方の部分及び一対の伸長保持部材３２は、クマの肩、クマの背中上部７５から腹部あたりに、基台部４０はクマの手部７３に、圧接部５０はクマの足部７４に、それぞれ包み込まれている。作業者Ｐは、支柱軸２１を自らの顎の位置に合った高さに調節した後、顎受け部２２や支柱軸２１、保持部３０等をクッション７０Ａで包み込むことになる。クマの頭部７１が上方向に移動できるように、クマの首部７２はいわゆるたるみ等の伸縮可能な部分を有している。
例えばクッション７０Ａの後面側の左右方向の中央付近に、クマの頭部７１からクマの足部７４にわたるファスナーを有する切込みを有するクッション７０Ａを用いて、作業者Ｐは、その切込みからデスクッション本体１Ｆの包みこみを行うことができる。照明本体６３はデスクッション本体１Ｆにおいて、その前面に備えられているので、デスクッション９０Ａの前面に、照明本体６３が備えられていることになる。なお、照明本体６３はデスクッション本体１Ｆでなく、クマの首部７２等に適宜な紐等でかけてもよい。
【００３５】
図２０〜２２に基づいて、デスクッション９０Ａが、作業者Ｐに無意識の内に前傾姿勢になっていたことを気づかせ、その前傾姿勢を矯正させることを促す作用を有することを説明する。作業者Ｐがデスクッション９０Ａを使用して机上作業をしている状態は、例えば図２０のようである。すなわち作業者Ｐは、自らの顎をクマの頭部頂上７１ａに乗せ、首の付け根あたりをクマの頭部７１の背面側に、胸部をクマの背中上部７５に当てて、両手を机の天板８０上に伸ばし例えばパソコンに向かって作業を行う。作業者Ｐの姿勢は作業初期ではこのようなものであっても、作業時間が経過するにつれて、作業に傾注するにしたがい視力等の低下も相俟って、パソコンの画面を見ようとして、勢い無意識のうちに前傾姿勢になり勝ちである。そうなった場合には、仮想線Ｎ付近で、作業者Ｐの胸部がクッション７０Ａを押すことによって、作業者Ｐは、デスクッション９０Ａに前面への力を作用させることになる。さらに、作業者Ｐの首の付け根あたりが、クッション７０Ａを押すことにもなる。クッションの形状によって、作業者Ｐがそのクッションを押す位置にバリエーションはありうるが、作業者Ｐの身体への負担を考慮すれば、作業者Ｐの胸部が優先してクッションを押すようにすることが好ましい。
そこで、以下にその作用の説明を行う。作業者Ｐがデスクッション９０Ａに作用させる力は、クッション７０Ａを介してデスクッション本体１Ｆに作用させる力となる。そして、その作用は、作業者Ｐがデスクッション９０（図１６）を使用した場合におけるデスクッション本体１（図１）に対する作用と同様であるから、以下の作用の説明においては、デスクッション本体１（図１）に基づいて行う。
【００３６】
図２１は作業者Ｐの姿勢が前傾姿勢でないとき、机の天板８０に支持されているデスクッション本体１（図１）に作用する力等の状態の説明図である。顎受け部２２には、作業者Ｐの顎からの鉛直方向へ力Ｆ１が作用する。作業者Ｐの姿勢が前傾姿勢でなければ、仮想線Ｎ付近で作業者Ｐから前面方向に向かってデスクッション本体１（図１）に作用する力Ｆ２はごく小さい。力Ｆ１は机の天板８０の縁部に鉛直方向に作用し、その反作用による力ＲＦ１と釣り合う。一方Ｆ２によるモーメントによって力ＲＦ２が後面方向に向かって発生するが、力Ｆ２がごく小さいので、机の天面８１より上方の部分である上方部分１００は、机の縁部における垂直線Ｖに対してほとんど前傾することはなく、従って机の天面８１より下方の部分である下方部分１１０が、その垂直線Ｖに対して後傾することもほとんどない。そうであると、力ＲＦ２によって作業者Ｐが腹部に力の作用を感知することはほとんどない。
ところが、図２２のように、作業者Ｐの前傾姿勢が大きくなるにつれて、作業者Ｐから前面方向に向かってデスクッション本体１（図１）に作用する力ＡＦ２は大きくなる。それに伴い上方部分１００が垂直線Ｖに対して前傾する程度が大きくなり、作用点４２ａに力Ｆ３を生じて、下方部分１１０が垂直線Ｖに対して後傾する程度も大きくなる。すなわち変化幅Ｘが発生することになる。そうして、作業者Ｐは変化幅Ｘに相応して大きくなった力ＲＡＦ２からの作用を腹部に感知することによって、自らが前傾姿勢になっていることに気付くのである。そうなれば、前傾姿勢は良くない姿勢であることを弁えている作業者Ｐは、その前傾姿勢を矯正することができるのである。
【００３７】
（実施例）
ボランティアの３人の被験者が、机の天板８０の縁部（机の天板８０の上面端部）に支持されたデスクッション９０（図１７）を使用した感想を、Ａ：顎と胸等を支えること（正しい姿勢を保つこと）に関する効果、Ｂ：照明に関する効果についてまとめた。
被験者１
使用前の状況：長時間の机上作業では、頭部の重みを首や肩で支える事が負担となり、肩こりや頭痛が起こりやすかった。長時間の机上作業では、猫背になったり、椅子に深く座り背もたれにもたれたりして姿勢が悪かった。夜間など、部屋の蛍光灯のみで机作業をしているが、自分の身体が陰になり見づらかった。
Ａ：デスクッション９０に顎を乗せると、首と肩の力が自然に抜ける感じがした。自分の座高に合わせて高さ調節ができるので、長時間の机上作業でも良い姿勢を保つことができた。
Ｂ：自分の目線から照明が出ていることで、細かい作業も影にならず、非常に見やすかった。
被験者２
使用前の状況：机上作業が長時間になると、椅子の背もたれ等にもたれるが、いつの間にか再び前傾姿勢になっていた。長時間の机上作業では、猫背になったり、椅子に深く座り背もたれにもたれたりして姿勢が悪くなった。机上に自分とは反対側に照明スタンドを使用しているが、本を立てて読書する際には、本は読みやすいが、影が出て見づらかった。
Ａ：机上作業は前傾で行う事が多いが、前傾を支えてくれるので楽になった。腹部から胸部をデスクッションに当てる事で、自分の姿勢を自然に意識できた。
Ｂ：読書などを机上でする際、本を立てて読むが、自分の方向から照明が出ている事で陰にならず非常に読みやすかった。
被験者３
使用前の状況：机上作業が長時間になると、肘を机に置いたり、頬杖をついたりして姿勢が悪くなった。照明器具（蛍光灯など）を直視する事で、目を悪くする可能性があった。
Ａ：頬杖をついたりしなくても頭部を支えてくれるので、長時間の作業が可能になった。頬杖をついたりする事で姿勢が悪くなるが、デスクッション９０があれば姿勢を保つ事ができた。
Ｂ：自分の目線に照明器具（蛍光灯等）が入らないため、直視する事もなく、目に優しかった。
以上の結果によって、デスクッション９０が、前傾姿勢の被験者に、そのことを気づかせ正しい姿勢を保つように促す効果と、被験者に作業の対象物を非常に見やすくさせる効果が確認された。たとえ被験者２のように、机上作業を前傾姿勢で行っても、デスクッション９０によって、自分の姿勢を自然に意識しつつ、前傾姿勢が支えられて楽になったという効果をも生じさせる場合があった。
【００３８】
本実施例によれば、（１）支柱軸２１及び支柱軸２１の上端に顎受け部２２を有する支柱部２０と、支柱軸２１を内側に配置して、クッション７０を保持する保持部３０と、保持部３０を支持する基台部４０を備えたデスクッション本体１において、支柱軸２１は、顎受け部２２の上下方向の位置を決める第１の位置決め手段を有し、保持部材によって所定形状に形成された保持部３０は、第1の位置決め手段と対応する支柱軸の軸線上にある第２の位置決め手段を有し、基台部４０が机の天板８０の上面端部に支持されるように、基台部４０は保持部３０の上下方向における中央付近から中央付近より下方で、保持部３０に接続し、前面に向かって支柱軸２１の軸線Ｍと略垂直に延設して形成されたことを特徴とするデスクッション本体１なので、顎受け部２２に作業者Ｐの顎が乗せられ、作業者Ｐが前傾姿勢になり、上方部分１００は作業者の胸部等によって前面に押されると、上方部分１００は机の縁部における垂直線Ｖに対して前面方向に傾くと同時に、下方部分１１０はその垂直線Ｖに対して後面方向に傾き、下方部分１１０が作業者Ｐの腹部に当たるため、無意識の内に前傾姿勢になっていたことを促されて気づいた作業者Ｐは、その前傾姿勢を矯正して首、肩等にかかる負担を低減することができる。そしてそのことによって、特にパソコンによる机上作業を強いられた作業者Ｐの苦痛を軽減し、作業効率の低下を防いでビジネスの円滑な運営の支障を除くという効果を奏する。
【００３９】
(２)所定形状は支柱軸２１の軸線Ｍについて左右方向に略対称の形状であって、支柱軸２１の軸線Ｍを跨ぐ少なくても一つの橋架保持部材３１と、橋架保持部材３１の両端でその橋架保持部材３１と接続して、少なくても上方に伸長する少なくても一対の伸長保持部材３２と、を備えて構成され、一対の基台支持部材４１によって形成された基台部４０は、一対の伸長保持部材３２によって形成された保持部３０に、片方の基台支持部材４１が片方の伸長保持部材３２にそれぞれ接続された(１)に記載のデスクッション本体１なので、支柱軸２１の軸線Ｍについて左右方向に略対称となりうることが好ましいクッション内部の空間に対して、クッション７０を保持することができるように、またクッション７０を支えて保持しやすいように、いわば骨組みを容易にかつ少ない部材によって構成することができるという効果を奏する。
（３）第２の位置決め手段は、橋架保持部材３１上に具設された(２)に記載のデスクッション本体１なので、橋架保持部材３１の保持部３０の上下方向における位置によって、支柱部２０が保持部３０に支持される位置を下方に調節することができるため、保持部３０の重心が下方に調節されて、机の天面８０に支持されたデスクッション本体１の安定性が増すという効果を奏する。
（４）所定形状は支柱軸２１の軸線Ｍについて左右方向に略対称の形状であって、支柱軸２１の軸線Ｍを跨ぐ少なくても一枚の平板状部材３２Ｃを備えて構成され、第２の位置決め手段は、平板状部材３２Ｃ上に具設され、一対の基台支持部材４１によって形成された基台部４０は、平板状部材３２Ｃによって形成された保持部３０に、平板状部材３２Ｃの左右の両端で片方の基台支持部材３１がそれぞれ接続された(１)に記載のデスクッション本体１なので、保持部３０の強度を保つために必要な保持部３０の厚みを薄くすることができ、保持部３０の製造を一体成形することができうるという効果を奏する。
【００４０】
（５）支柱軸２１の軸線Ｍ上にあって第２の位置決め手段より上方で、保持部３０の内側に具設された支柱軸２１をガイドするガイド部３６を、さらに有する（３)又は(４)に記載のデスクッション本体１なので、支柱軸２１は第２の位置決め手段とガイド部３６の２箇所で保持部３０に保持されるため、支柱軸２１は保持部３０に堅固に支持されて、作業者Ｐに無意識の内に前傾姿勢になっていたこと気づかせて、その前傾姿勢を矯正させることができるという（１）の効果をより奏することができるのである。
（６)(１)〜(５)の何れか一つに記載のデスクッション本体１が、さらにその前面に照明６０を備えたデスクッション本体１なので、照明６０が作業者Ｐと作業の対象となっているものの間にあるため、照明６０のための新たな机上の場所や設備は不要であり、照明６０によって直接照らされた作業の対象物を、作業者Ｐが視認できるという効果を奏する。
（７）（１）〜（６）の何れか一つに記載のデスクッション本体１に、クッションが保持されたデスクッション９０であって、クッション７０は顎受け部２２の上面の少なくても一部分及び基台部４０の反対側で保持部３０の少なくても一部分に接するデスクッション９０なので、クッション７０がデスクッション本体１の支柱部２０や保持部３０と、作業者Ｐの顎や胸部との間で緩衝材となり、その支柱部２０等が直接作業者Ｐの胸部等に当たることがなく、クッション７０に支えられおんぶされている心地よさを作業者Ｐに与えることができるため、自らの重たい頭を支えつつ、良くない姿勢である前傾姿勢によって発生する首の痛みや、肩こり等の苦痛を解消でき、作業効率の低下を防止して、ビジネスの円滑な運営に資することができるという効果を奏する。
（８）（１）〜（６）の何れか一つに記載のデスクッション本体１に、クッションが保持されたデスクッション９０であって、クッション７０は支柱部２０の少なくても一部分及び保持部の少なくても一部分を、その内部に包み込むデスクッション９０なので、（７）と同様に緩衝材の働きを担い、またクッション７０が例えばクマや犬、猫等動物の造形等であれば作業者Ｐに愛着を湧かせうるため、作業者Ｐにデスクッションの使用を促進させることができるという効果を奏する。
【００４１】
（９）（７）又は（８）に記載のデスクッション９０が、さらにその前面に照明６０を備えたデスクッション９０なので、照明６０が作業者Ｐと作業の対象物の間にあるため、机が置かれている作業環境に応じて、採光の必要が生じたときでも、照明６０のための新たな机上の場所や照明スタンド等の設備は不要であり、照明６０によって直接照らされた作業の対象物を、作業者Ｐが視認できるという効果を奏する。
（１０）基台部４０より下方の保持部３０に形成されて、机の天板８０の縁部を下方から圧接する圧接部５０を、さらに備えた（１）〜（６）の何れか一つに記載のデスクッション本体１なので、机の天板８０の縁部の上面すなわち上方からは基台部４０、下方からは圧接する圧接部５０によって、その縁部を挟持することができるため、作業者Ｐが作業を行う机の位置に応じて、デスクッション本体１を容易に移動して支持することができるという効果を奏する。
【００４２】
（１１）圧接部５０は可撓性を有する一対の圧接部材５１を備えてなり、一対の圧接部材５１の片方が、所定間隔をおいてそれぞれ基台部４０より下方で保持部３０に接続されて、前面に向かって支柱軸２１の軸線Ｍと鋭角をなして延設して形成され、前面方向の圧接部材５１の末端部分５２における末端部分５２の上端と基台支持部材４１の下端との距離が、机の天板８０の厚みより小さい（１０）に記載のデスクッション本体１なので、机の天板８０は基台支持部材４１と圧接部材５１の間に着脱可能に圧入されることになるため、作業者Ｐが作業を行う机の位置に応じて、デスクッション本体１をきわめて容易に移動して支持することができるという効果を奏する。
所定間隔としては、デスクッション本体１を机により安定して支持するために、保持部３０の両端までの幅が好ましい。
（１２）基台部４０より下方の保持部３０に形成されて、机の天板８０の縁部を下方から圧接する圧接部５０を、さらに備えた（７）〜（９）に記載のデスクッション９０なので、机の天板８０の縁部の上面すなわち上方からは基台部４０、下方からは圧接する圧接部５０によって、その縁部を挟持することができるため、作業者Ｐが作業を行う机の位置に応じて、デスクッション９０を容易に移動して使用することができるという効果を奏する。
（１３）圧接部５０は可撓性を有する一対の圧接部材５１を備えてなり、一対の圧接部材５１の片方が、所定間隔をおいてそれぞれ基台部４０より下方で保持部３０に接続されて、前面に向かって支柱軸２１の軸線Ｍと鋭角をなして延設して形成され、前面方向の圧接部材５１の末端部分５２における末端部分５２の上端と基台支持部材４１の下端との距離が、机の天板８０の厚みより小さい（１２）に記載のデスクッション９０なので、机の天板８０は基底部４０と圧接部５０の間に着脱可能に圧入されることになるため、作業者Ｐが作業を行う机の位置に応じて、デスクッション９０をきわめて容易に移動して使用することができるという効果を奏する。
【００４３】
本発明のデスクッション本体については、上記実施例に限定されることなく、色々な応用が可能である。本発明の実施の態様では、圧接部として一対の圧接部材を用いているが、一対以上の圧接部材を使用してもよい。また、本発明のデスクッションについても、上記実施例に限定されることなく、色々な応用が可能である。本発明の実施の態様では、照明を備えることができるが、芳香剤、消臭剤、小型扇風機、小型空気清浄機等をさらに備えてもよい。
【符号の説明】
【００４４】
１    デスクッション本体
２０  支柱部
２１  支柱軸
２２  顎受け部
３０  保持部
４０  基台部
７０  クッション
８０  机の天板
９０  デスクッション
Ｍ    軸線
【図１】
2017200557.tif 000003
【図２】
2017200557.tif 000004
【図３】
2017200557.tif 000005
【図４】
2017200557.tif 000006
【図５】
2017200557.tif 000007
【図６】
2017200557.tif 000008
【図７】
2017200557.tif 000009
【図８】
2017200557.tif 000010
【図９】
2017200557.tif 000011
【図１０】
2017200557.tif 000012
【図１１】
2017200557.tif 000013
【図１２】
2017200557.tif 000014
【図１３】
2017200557.tif 000015
【図１４】
2017200557.tif 000016
【図１５】
2017200557.tif 000017
【図１６】
2017200557.tif 000018
【図１７】
2017200557.tif 000019
【図１８】
2017200557.tif 000020
【図１９】
2017200557.tif 000021
【図２０】
2017200557.tif 000022
【図２１】
2017200557.tif 000023
【図２２】
2017200557.tif 000024